(57)【要約】【課題】光路の変更にプリズムを用いず、切り替え再現性の高い光スイッチを提供すること。【解決手段】平行でない第１ミラー８と第２ミラー９を、回転台３に固定する。回転台３を台座２に回動自在に保持する。ロータリーソレノイド６が回転台３を回動させることで第１ミラー８と第２ミラー９を回動させる。ストッパ７は、回転台３を、面１０と当接し、第１ミラー８と第２ミラー９が光信号を遮らない第１の位置、または面１１と当接し、第１ミラー８と第２ミラー９が光信号を遮る第２の位置で留める。これにより、光路を変更するための反射ミラーを所定の位置に確実に移動し、かつその位置で保持することができる。更に一体化された２枚のミラーを用いて２回反射させることで、高い切り替え再現性を有した光スイッチを実現することができる。【選択図】図２
2008158192.tif 000002
【特許請求の範囲】
【請求項１】
貫通孔を持つ板状の台座と、
光信号を反射する第１ミラーおよび第２ミラーを、互いの反射面が平行でないように向かい合わせて固定し、前記台座の貫通孔に回動自在に保持される回転台と、
前記台座に取り付けられ前記回転台を回動させるアクチュエータと、
前記台座に取り付けられ、前記回転台と当接して前記回転台の回転を所定の位置で留めるストッパと、を具備する光スイッチ。
【請求項２】
貫通孔を持つ板状の台座と、
光信号を反射する第１ミラーおよび第２ミラーを、互いの反射面が平行でないように向かい合わせて固定し、前記台座の貫通孔に昇降自在に保持される昇降台と、
前記台座に取り付けられ、前記昇降台を所定の範囲内で上昇または下降させ、上昇及び下降の少なくとも一方で、所定の位置で前記昇降台を保持するアクチュエータと、を具備する光スイッチ。
【請求項３】
光信号の入出力ポートであって、光軸が１つの平面上に配列された複数の第１ポートからなる第１ポート群と、
光信号の入出力ポートであって、前記各第１ポートと夫々光軸が一致し、前記第１ポート群と所定間隔を隔てて１対１に対向する複数の第２ポートからなる第２ポート群と、
光信号の入出力ポートであって、光軸が前記第１ポート群の光軸のなす平面上にありかつ前記第１ポート群の各光軸と各々交わる第３ポートと、
前記第１ポート群の光軸と前記第３ポートの光軸が各々交わる位置の近傍に配置された前記複数の第１ポートと同数の光スイッチと、を具備し、
前記光スイッチは、
貫通孔を持つ板状の台座と、
光信号を反射する第１ミラーおよび第２ミラーを、互いの反射面が平行でないように向かい合わせて固定し、前記台座の貫通孔に回動自在に保持される回転台と、
前記台座に取り付けられ、前記回転台を回動させるアクチュエータと、
前記台座に取り付けられ、前記回転台と当接することで、前記回転台の回転を前記第１ミラーと前記第２ミラーが前記第１ポート群の光軸を遮らない第１の位置と、前記第１及び第２ミラーによって前記第１ポートと前記第３ポートの間で光路を形成する第２の位置とで留めるストッパと、を備え、前記各第１ポートと前記第３ポートは光結合効率９０％以上を保つ場所に配置された光信号切替装置。
【請求項４】
光信号の入出力ポートであって、光軸が１つの平面上に配列された複数の第１ポートからなる第１ポート群と、
光信号の入出力ポートであって、前記各第１ポートと夫々光軸が一致し、前記第１ポート群と所定間隔を隔てて１対１に対向する複数の第２ポートからなる第２ポート群と、
光信号の入出力ポートであって、光軸が前記第１ポート群の光軸のなす平面上にあり、かつ前記第１ポート群の光軸と各々交わる第３ポートと、
前記第１ポート群の光軸と前記第３ポートの光軸が各々交わる位置の近傍に配置された前記複数の第１ポートと同数の光スイッチと、を具備し、
前記光スイッチは、
貫通孔を持つ板状の台座と、
光信号を反射する第１ミラーおよび第２ミラーを、互いの反射面が平行でないように向かい合わせて固定し、前記台座の貫通孔に昇降自在に保持される昇降台と、
前記台座に取り付けられ、前記第１ミラーと前記第２ミラーが前記第１ポート群の光軸を遮らない第１の位置と、前記第１及び第２ミラーによって前記第１ポートと前記第３ポート間で光路を形成する第２の位置とに前記昇降台を移動し保持するアクチュエータと、を備え、前記各第１ポートと前記第３ポートは光結合効率９０％以上を保つ場所に配置された光信号切替装置。
【発明の詳細な説明】
【技術分野】
【０００１】
本発明は光通信機器における光スイッチおよび光信号切替装置に関する。
【背景技術】
【０００２】
光信号を用いた通信技術の一つに、光信号をスイッチングするための光スイッチがある。特許文献１はこのような光スイッチを示しており、ミラーならびにプリズムを含んで構成されている。この光スイッチは通常、直進する光信号の光路外に位置しており、駆動ソレノイドなどによってミラーやプリズムが光路を遮るように移動したときに、光信号が光スイッチに入力される。入力された光は、ミラーやプリズムで反射や平行移動をした後、光スイッチから出力される。その結果、光スイッチに入力される前の光信号の進向方向に対して、光スイッチから出力された光の進行方向は一定の角度をなすことになり、光信号の進行方向が変わる。
【０００３】
これとは別に、図１に示すようなペンタプリズムを用いて光スイッチを構成することもできる。ペンタプリズムは、図１に示すように五角柱の光学部品であって、直進する光信号の光路を遮り、光信号が１つの側面に垂直に入力するような位置に挿入されたときに、入力した光を内部で２回反射して、入力した側面とは別の側面から光を出力する。このときの入力の方向と出力の方向は、図に示すように９０度の角度をなしており、光の進行方向が切り替えられる。
【特許文献１】特開２００５−５５７１８号公報
【発明の開示】
【発明が解決しようとする課題】
【０００４】
特許文献１の光スイッチは、ミラーと複数のプリズムとを組み合わせて構成されている。光スイッチはそもそも、部品のサイズや組み付けに高い精度が求められ、部品点数が多くなると、それら部品の組み付けは格別に高い精度が要求される。このように多くの部品を高い精度で組み付けることは、製造コストの上昇につながる。さらに、光信号がプリズムを透過するたびに光信号の挿入損失が発生するとともに偏波依存性も無視できなくなるので、プリズムの使用は避けたほうがよい。
【０００５】
次に、光路変更にペンタプリズムを用いた場合、偏波依存性を抑えることが難しい。さらにペンタプリズムは高価な光学部品であることから、光スイッチの部品として適したものとはいえない。
【０００６】
本発明はこのような問題点に鑑みてなされたものであって、光路を変更するためのミラーを設計で予定された位置で確実に保持することができ、且つ一体化された２枚のミラーで２回の反射を行うことでプリズムを用いることなく部品点数の少ない切り替え再現性の高い光スイッチの実現を目的とする。
【課題を解決するための手段】
【０００７】
この課題を解決するために、本発明の光スイッチは、貫通孔を持つ板状の台座と、光信号を反射する第１ミラーおよび第２ミラーを、互いの反射面が平行でないように向かい合わせて固定し、前記台座の貫通孔に回動自在に保持される回転台と、前記台座に取り付けられ前記回転台を回動させるアクチュエータと、前記台座に取り付けられ、前記回転台と当接して前記回転台の回転を所定の位置で留めるストッパと、を具備するものである。
【０００８】
この課題を解決するために、本発明の光スイッチは、貫通孔を持つ板状の台座と、光信号を反射する第１ミラーおよび第２ミラーを、互いの反射面が平行でないように向かい合わせて固定し、前記台座の貫通孔に昇降自在に保持される昇降台と、前記台座に取り付けられ、前記昇降台を所定の範囲内で上昇または下降させ、上昇及び下降の少なくとも一方で、所定の位置で前記昇降台を保持するアクチュエータと、を具備するものである。
【０００９】
この課題を解決するために、本発明の光信号切替装置は、光信号の入出力ポートであって、光軸が１つの平面上に配列された複数の第１ポートからなる第１ポート群と、光信号の入出力ポートであって、前記各第１ポートと夫々光軸が一致し、前記第１ポート群と所定間隔を隔てて１対１に対向する複数の第２ポートからなる第２ポート群と、光信号の入出力ポートであって、光軸が前記第１ポート群の光軸のなす平面上にありかつ前記第１ポート群の各光軸と各々交わる第３ポートと、前記第１ポート群の光軸と前記第３ポートの光軸が各々交わる位置の近傍に配置された前記複数の第１ポートと同数の光スイッチと、を具備し、前記光スイッチは、貫通孔を持つ板状の台座と、光信号を反射する第１ミラーおよび第２ミラーを、互いの反射面が平行でないように向かい合わせて固定し、前記台座の貫通孔に回動自在に保持される回転台と、前記台座に取り付けられ、前記回転台を回動させるアクチュエータと、前記台座に取り付けられ、前記回転台と当接することで、前記回転台の回転を前記第１ミラーと前記第２ミラーが前記第１ポート群の光軸を遮らない第１の位置と、前記第１及び第２ミラーによって前記第１ポートと前記第３ポートの間で光路を形成する第２の位置とで留めるストッパと、を備え、前記各第１ポートと前記第３ポートは光結合効率９０％以上を保つ場所に配置されたものである
【００１０】
この課題を解決するために、本発明の光信号切替装置は、光信号の入出力ポートであって、光軸が１つの平面上に配列された複数の第１ポートからなる第１ポート群と、光信号の入出力ポートであって、前記各第１ポートと夫々光軸が一致し、前記第１ポート群と所定間隔を隔てて１対１に対向する複数の第２ポートからなる第２ポート群と、光信号の入出力ポートであって、光軸が前記第１ポート群の光軸のなす平面上にあり、かつ前記第１ポート群の光軸と各々交わる第３ポートと、前記第１ポート群の光軸と前記第３ポートの光軸が各々交わる位置の近傍に配置された前記複数の第１ポートと同数の光スイッチと、を具備し、前記光スイッチは、貫通孔を持つ板状の台座と、光信号を反射する第１ミラーおよび第２ミラーを、互いの反射面が平行でないように向かい合わせて固定し、前記台座の貫通孔に昇降自在に保持される昇降台と、前記台座に取り付けられ、前記第１ミラーと前記第２ミラーが前記第１ポート群の光軸を遮らない第１の位置と、前記第１及び第２ミラーによって前記第１ポートと前記第３ポート間で光路を形成する第２の位置とに前記昇降台を移動し保持するアクチュエータと、を備え、前記各第１ポートと前記第３ポートは光結合効率９０％以上を保つ場所に配置されたものである。
【発明の効果】
【００１１】
このような特徴を有する本発明によれば、光信号の光路を変更するためのミラーが、光信号の光路に対して、設計で予定された位置に確実に挿入される。また、プリズムを用いなくとも一体化された２枚のミラーを用いることで更に高い切り替え再現性が得られ、且つ光信号の挿入損失を従来よりも低く抑えることができ、偏波依存性を小さくすることができる。
【発明を実施するための最良の形態】
【００１２】
（実施の形態１）
本発明の光スイッチの実施の形態１について説明する。まず、図２は本発明の実施の形態１による光スイッチ１の斜視図であり、図３は光スイッチ１を真上から見た図である。次に、図４Ａは、後に説明する回転台３の斜視図であり、図４Ｂは同じく回転台３を上から見た図である。
【００１３】
図２および図３において、台座２は、中央に円形の貫通孔を持つひし形の板状の部材である。回転台３は、図４Ａおよび図４Ｂに示すように、扇形の切欠きを施された円板状の部材であって、上面には回転台３と一体となった楔形台４が設けられており、下面には円柱状の回転軸５が設けられている。回転台３の回転軸５は台座２の貫通孔に挿入されている。ロータリーソレノイド６は回転台３の回転軸５と接続している。ストッパ７は、回転台３の回動範囲を規定するもので、図２および図３に示すように、台座２の上に貫通孔を塞がないように固定されている。第１ミラー８および第２ミラー９は、反射面が回転台３の回転軸に平行になるように、かつ互いの反射面が平行にならないように楔形台４の側面に沿って回転台３に固定されている。
【００１４】
このように構成された光スイッチ１では、回転台３は、ロータリーソレノイド６により回転し、ストッパ７と当接する位置で停止する。この停止位置はストッパ７の面１０と接する第１の位置と、面１１と接する第２の位置との２箇所ある。回転台３の位置をこれら２箇所のうちのいずれかで保持することで、第１ミラー８および第２ミラー９の位置が決まる。ロータリーソレノイド６は、上記２箇所のうちのいずれかの位置で回転台３を保持する自己保持機能を備えている。
【００１５】
図５Ａおよび図５Ｂは、光スイッチ１の使用状態を示している。出力ポートのコリメータ２０は第１ポートであり、入力ポートのコリメータ２１は第２ポートである。コリメータ２０とコリメータ２１は互いに光軸を一致させて向かい合わせに配置されている。さらに、出力ポートのコリメータ２２は第３ポートであって、自身の光軸がコリメータ２０の光軸とコリメータ２１の光軸と共に１つの平面（紙面と同一面）を形成するように配置されている。光スイッチ１は、第１ミラー８および第２ミラー９を各コリメータの光軸が作る平面（紙面）に対して垂直になるようにして、コリメータ２０とコリメータ２２のなす光軸の交点付近に配置される。
【００１６】
このように構成された光スイッチの動作を説明する。図５Ａは、コリメータ２０から出力された光信号２３がコリメータ２１に入力されている状態を表している。このとき、光スイッチ１の回転台３はストッパ７の面１０と当接しており、第１ミラー８と第２ミラー９は光信号を遮らない場所にある。
【００１７】
図５Ｂは、光信号が切り替えられた状態を示している。このとき光信号は、コリメータ２２から出力される。そして光スイッチ１は、回転台３をストッパ７の面１１と当接する位置まで回転する。このように、回転台３がストッパ７の面１１と当接することで、第１ミラー８および第２ミラー９は設計で予定された位置に正確に配置される。第１ミラー８はコリメータ２２からの光信号を第２ミラー９に向かって反射し、第２ミラー９は第１ミラー８からの光信号をコリメータ２１に向かって反射する。第２ミラー９からコリメータ２１に向かう光信号は、コリメータ２１の光軸に沿って入力される。このようにして、光信号を切り替えることができる。
【００１８】
なお、図５Ｂに破線で示す光信号２４のコリメータ２２からコリメータ２１までの光路長が、図５Ａに破線で示す光信号２３の光路長に等しくなるように、コリメータ２２を配置すれば、光信号を切り替えた場合でも、光信号の挿入損失を小さく抑えることができる。
またここではコリメータ２０〜２２の光軸は紙面と同一面としているが、コリメータ２２の光軸は紙面に含まれるものでなくてもよく、この場合には第１，第２のミラー８，９も紙面に垂直である必要はない。
【００１９】
次に、図６Ａおよび図６Ｂを用いて、出力ポートと入力ポートにそれぞれ複数のコリメータを備える光信号切替装置について説明する。なお、図６Ａは、光通信が正常に行なわれている状態の光信号切替装置を表し、図６Ｂは、出力ポート側に故障が生じて代替ポートが用いられている状態を示している。
【００２０】
まず光信号切替装置の構成を説明する。図６Ａおよび図６Ｂにおいて、出力ポートのコリメータ３０ａ、３０ｂ、３０ｃ、および３０ｄは、第１ポート群をなしている。また、入力ポートのコリメータ３１ａ、３１ｂ、３１ｃ、および３１ｄは、第２ポート群をなしている。光スイッチ３２ａ、３２ｂ、３２ｃ、および３２ｄは、上述した光スイッチ１と同様の構成である。さらに、代替ポートのコリメータ３３は第３ポートを構成している。ここで代替ポートは、出力ポートの代わりに用いられるものであって、本来出力ポートから出力される光信号を代わりに出力する。なお、各コリメータには光ファイバケーブルが接続されている。出力ポートのコリメータと入力ポートのコリメータは１対１で、それぞれの光軸を一致させて向かい合っており、なおかつ代替ポートのコリメータを含めた各コリメータの光軸は、すべて１つの平面上にあるように各コリメータは配置されている。
【００２１】
図６Ａにおいて、対になったコリメータを結ぶ破線は、コリメータ間を通過する光信号３４ａ、３４ｂ、３４ｃ、および３４ｄを示す。対になったコリメータの間には夫々光スイッチが配置されており、光スイッチ３２ａ、３２ｂ、３２ｃ、および３２ｄは、各々の第１ミラーと第２ミラーを各コリメータの光軸が作る平面に垂直となるようにして、第１ポートと第３ポートの光軸の交点の付近に配置される。
【００２２】
続いて、光信号切替装置の動作を説明する。光通信が正常に行なわれているときは、図６Ａに示すように、出力ポートのコリメータ３０ａ〜３０ｄから出力された光信号が入力ポートのコリメータ３１ａ〜３１ｄに各々入力されている。このとき、各光スイッチの第１および第２ミラーは、各光信号を遮らない位置にある。
【００２３】
ところが出力ポートの故障によって、例えばコリメータ３０ｃからの光信号が途絶えたような場合、図６Ｂに示すように代替ポートが代わりに用いられる。コリメータ３０ｃから出力されるはずであった光信号は代替ポートのコリメータ３３から出力される。コリメータ３３から出力された光信号は、図５Ｂでの説明と同様に光スイッチ３２ｃによって進行方向を変更し、コリメータ３１ｃに入力される。このように、出力ポートが故障した場合でも、代替ポートを用いて光通信を継続することができる。ここで代替ポートのコリメータ３３と入力ポートのコリメータ群３１ａ〜３１ｄは光結合効率９０％以上を保つように光路長が選択されて配置されている。
【００２４】
上述したように、本実施の形態の光スイッチ１において回転台が保持される位置は、回転台３がストッパ７の面１０と当接する位置か、面１１と当接する位置のうちのいずれかである。さらに、これら２つの位置の一方の位置から他方の位置への回転台の回転は、単純な動作で済む。よって、回転台３がストッパ７と当接する２つの位置の間の回転を何度繰り返しても、回転台３は正確にストッパ７の面１１と当接することができ、回転台３に固定された第１ミラー８と第２反射ミラー９は、容易に設計で予定された位置でずれることなく保持される。
【００２５】
（実施の形態２）
本発明の光スイッチの実施の形態２について説明する。図７Ａ、図７Ｂは、本発明の実施の形態２における光スイッチ４０の斜視図であって、それぞれ別の動作状態を示している。
【００２６】
図７Ａおよび図７Ｂにおいて、台座４１は中央に四角形の貫通孔を持つ板状の部材である。昇降台４２は直方体の部材であり、上面には楔形台４３が設けられている。昇降台４２は台座４１の貫通孔に挿入され、下面で直動ソレノイド４４と接続している。第１ミラー４５および第２ミラー４６は、反射面を斜めに向かい合わせて、楔形台４３の側面に沿って昇降台４２に固定されている。
【００２７】
このように構成された光スイッチ４０では、直動ソレノイド４４により、昇降台４２が昇降する。これによって楔形台４３に固定された第１ミラー４５および第２ミラー４６も上下に昇降する。図７Ａは昇降台４２が下降して第１の位置にある状態を表し、図７Ｂは昇降台４２が上昇して第２の位置にある状態を表している。尚、直動ソレノイド４４は、図７Ａまたは図７Ｂの状態で昇降台４２の位置を保持する自己保持機能を備えている。
【００２８】
図８Ａおよび図８Ｂは、光スイッチ４０の使用状態を示している。出力ポートのコリメータ５０は第１ポートであり、入力ポートのコリメータ５１は第２ポートである。コリメータ５０とコリメータ５１は互いに光軸を一致させて向かい合わせに配置されている。さらに、出力ポートのコリメータ５２は第３ポートであって、自身の光軸がコリメータ５０の光軸とコリメータ５１の光軸と共に１つの平面を形成するように配置されている。光スイッチ４０は、第１ミラー４５および第２ミラー４６を各コリメータの光軸が作る平面に対して垂直になるようにして、コリメータ５０とコリメータ５２の光軸の交点の下側に配置される。
【００２９】
このように構成された光スイッチの動作を説明する。図８Ａは、コリメータ５０から出力された光信号５３がコリメータ５１に入力されている状態を表している。このとき、光スイッチ４０の昇降台４２は下降して図７Ａに示す状態になっており、第１ミラー４５と第２ミラー４６は光信号を遮らない場所にある。
【００３０】
図８Ａは、光信号が切り替えられた状態を示している。このとき光信号は、コリメータ５２から出力される。そして、光スイッチ４０は昇降台４２を直動ソレノイド４４によって上昇する。昇降台４２は第２の位置まで上昇し、第１ミラー４５および第２ミラー４６は設計で予定された位置に正確に配置される。第１ミラー４５はコリメータ５２からの光信号を第２ミラー４６に向かって反射し、第２ミラー４６は第１ミラー４５からの光信号をコリメータ５１に向かって反射する。第２ミラー４６からコリメータ５１に向かう光信号は、コリメータ５１の光軸に沿ってコリメータ５１に入力される。このようにして、光信号を切り替えることができる。
【００３１】
なお、図８Ｂに破線で示す光信号５４のコリメータ５２からコリメータ５１までの光路長が、図８Ａに破線で示す光信号５３の光路長に等しくなるように、コリメータ５２を配置すれば、光信号を切り替えた場合でも、光信号の挿入損失が変化することはない。
またここではコリメータ５０〜５２の光軸は紙面と同一面としているが、コリメータ２２の光軸は紙面に含まれるものでなくてもよく、この場合には第１，第２のミラー４５，４６も紙面に垂直である必要はない。
【００３２】
次に、図９Ａおよび図９Ｂを用いて、出力ポートと入力ポートにそれぞれ複数のコリメータを備える光信号切替装置について説明する。なお、図９Ａは、光通信が正常に行なわれている状態の光信号切替装置を表し、図９Ｂは、出力ポート側に故障が生じて代替ポートが用いられている状態を示している。
【００３３】
まず光信号切替装置の構成を説明する。図９Ａおよび図９Ｂにおいて、出力ポートのコリメータ６０ａ、６０ｂ、６０ｃ、および６０ｄは、第１ポート群をなしている。また、入力ポートのコリメータ６１ａ、６１ｂ、６１ｃ、および６１ｄは、第２ポート群をなしている。光スイッチ６２ａ、６２ｂ、６２ｃ、および６２ｄは、上述した光スイッチ４０と同様の構成である。さらに、代替ポートのコリメータ６３は第３ポートを構成している。ここで代替ポートは、出力ポートの代わりに用いられるものであって、本来出力ポートから出力される光信号を代わりに出力する。なお、各コリメータには光ファイバケーブルが接続されている。出力ポートのコリメータと入力ポートのコリメータは１対１で、それぞれの光軸を一致させて向かい合っており、なおかつ代替ポートのコリメータを含めた各コリメータの光軸は、すべて１つの平面上にあるように各コリメータは配置されている。
【００３４】
図９Ａにおいて、対になったコリメータを結ぶ破線は、コリメータ間を通過する光信号６４ａ、６４ｂ、６４ｃ、および６４ｄを示す。対になったコリメータの間には各々光スイッチが配置されており、光スイッチ６２ａ、６２ｂ、６２ｃ、および６２ｄは、各々の第１ミラーと第２ミラーを各コリメータの光軸が作る平面に垂直となるようにして、第１ポートと第３ポートの光軸の交点の下側に配置される。
【００３５】
続いて、光信号切替装置の動作を説明する。光通信が正常に行なわれているときは、図９Ａに示すように、出力ポートのコリメータ６０ａ〜６０ｄから出力された光信号が入力ポートのコリメータ６１ａ〜６１ｄに各々入力されている。このとき、各光スイッチの第１および第２ミラーは、各光信号を遮らない位置にある。
【００３６】
ところが出力ポートの故障によって、例えばコリメータ６０ｃからの光信号が途絶えたような場合、図９Ｂに示すように代替ポートが代わりに用いられる。コリメータ６０ｃから出力されるはずであった光信号は代替ポートのコリメータ６３から出力される。コリメータ６３から出力された光信号は、図８Ｂでの説明と同様に光スイッチ６２ｃによって進行方向を変更し、コリメータ６１ｃに入力される。このように、出力ポートが故障した場合でも、代替ポートを用いて光通信を継続することができる。ここで代替ポートのコリメータ６３と入力ポートのコリメータ群６１ａ〜６１ｄは光結合効率９０％以上を保つように光路長が選択されて配置されている。
【００３７】
上述したように、本実施の形態の光スイッチ４０において昇降台４２が保持される位置は、昇降台４２が上昇した位置か、下降した位置のうちのいずれかである。さらに、これら２つの位置の一方の位置から他方の位置への昇降台の移動は、単純な動作で済む。よって、昇降台４２が上記２つの位置の間の移動を何度繰り返しても、昇降台４２は正確に設計で予定された位置で保持され、昇降台４２に固定された第１ミラー４５と第２反射ミラー４６は、容易に設計で予定された位置でずれることなく保持される。
【００３８】
実施の形態１および実施の形態２ともに、光スイッチの第１および第２ミラーは２枚１組となっており、第１ミラーで反射した光信号をもう第２ミラーで反射する構成になっている。このことにより、万が一、光スイッチの回転台が設計で予定された位置よりわずかにずれた位置で保持されても、入力ポートに入力される光信号の光路は、設計で予定された位置よりわずかに平行にずれるだけである。これによって、各実施の形態の光スイッチは、設計で予定された位置に高い精度で、光信号を反射することができる。
【００３９】
実施の形態１および実施の形態２ともに、出力ポート側が故障したときを例として光信号切替装置の光スイッチの動作を説明した。しかし、各実施の形態の出力ポートを入力ポートとし、入力ポートを出力ポートとし、さらに代替ポートを入力用の代替ポートとすることで、入力ポート側が故障したときに代替ポートを用いる光信号切替装置においても本発明の光スイッチを用いることができる。
【００４０】
またさらに、実施の形態１および実施の形態２の光スイッチはプリズムを用いていないので、プリズムを用いた光スイッチと比べて偏波依存性が小さく、光信号の出力損失が小さい。さらには、高価な光学部品であるプリズムを用いないことで、光スイッチを安価に構成することができる。
【図面の簡単な説明】
【００４１】
【図１】従来の光スイッチに用いられるペンタプリズムを示す図である。
【図２】本発明の実施の形態１の光スイッチを示す斜視図である。
【図３】本発明の実施の形態１の光スイッチを上から見た状態を示す図である。
【図４Ａ】本発明の実施の形態１における、光スイッチの回転台の斜視図である。
【図４Ｂ】本発明の実施の形態１における、光スイッチの回転台を上から見た図である。
【図５Ａ】本発明の実施の形態１における、光信号切替装置の使用状態を表す図である。
【図５Ｂ】本発明の実施の形態１における、光信号切替装置の切替時の状態を表す図である。
【図６Ａ】本発明の実施の形態１における、光信号切替装置の正常時の状態を表す図である。
【図６Ｂ】本発明の実施の形態１における、光信号切替装置の故障時の状態を表す図である。
【図７Ａ】本発明の実施の形態２の光スイッチにおいて、昇降台が第１の位置にある状態を示す斜視図である。
【図７Ｂ】本発明の実施の形態２の光スイッチにおいて、昇降台が第２の位置にある状態を示す斜視図である。
【図８Ａ】本発明の実施の形態２における、光信号切替装置の使用状態を表す図である。
【図８Ｂ】本発明の実施の形態２における、光信号切替装置の切替時の状態を表す図である。
【図９Ａ】本発明の実施の形態２における、光信号切替装置の正常時の状態を表す図である。
【図９Ｂ】本発明の実施の形態２における、光信号切替装置の故障時の状態を表す図である。
【符号の説明】
【００４２】
１、４０  光スイッチ
２、４１  台座
３  回転台
４、４３  楔形台
５  回転軸
６  ロータリーソレノイド
７  ストッパ
８、４５  第１ミラー
９、４６  第２ミラー
１０、１１  面
４２  昇降台
４４  直動ソレノイド
【図１】
2008158192.tif 000003
【図２】
2008158192.tif 000004
【図３】
2008158192.tif 000005
【図４Ａ】
2008158192.tif 000006
【図４Ｂ】
2008158192.tif 000007
【図５Ａ】
2008158192.tif 000008
【図５Ｂ】
2008158192.tif 000009
【図６Ａ】
2008158192.tif 000010
【図６Ｂ】
2008158192.tif 000011
【図７Ａ】
2008158192.tif 000012
【図７Ｂ】
2008158192.tif 000013
【図８Ａ】
2008158192.tif 000014
【図８Ｂ】
2008158192.tif 000015
【図９Ａ】
2008158192.tif 000016
【図９Ｂ】
2008158192.tif 000017